(57)【要約】【課題】  テーピング作業を可及的に容易にすること。【解決手段】  分岐した電線束の分岐部分にたすき掛けするための空間Ｓ１を形成する空間形成部１４を設ける。空間形成部１４は、電線を規制する規制部１５ａの下方に設けられている。規制部１５ａは、電線束を挟んで対向する対をなしている。空間形成部１４が形成する空間Ｓ１は、各規制部１５ａ、１５ａ間の空間と連通している。従って、作業者は、幹線から巻回したテープを空間形成部１４に通して、枝線に巻き付けることが可能になる。そのため、分岐点のテーピングが容易且つ精緻になる。【選択図】      図１
2005276549.tif 000002
【特許請求の範囲】
【請求項１】
分岐部分を含む布線経路が設定された組立図板に立設されて、当該布線経路に沿って組立図板上に布線されるワイヤーハーネスの電線束を受ける電線保持具において、
上記布線経路の両側に配置されて対をなし、当該電線束の分岐部分を規制する一対の規制部と、
各規制部を組立図板に取り付ける取付部と、
取付部と規制部との間に、規制部に導入された電線束に巻回されるテープの周回空間を当該規制部の間と連続して形成する空間形成部と
を一体的に備えていることを特徴とするワイヤーハーネス用電線保持具。
【請求項２】
請求項１記載のワイヤーハーネス用電線保持具において、
上記空間形成部と規制部との間に設けられ、当該規制部から分岐する電線の下面を受ける電線受け部を備えていることを特徴とするワイヤーハーネス用電線保持具。
【請求項３】
請求項１または２記載のワイヤーハーネス用電線保持具において、
上記規制部は、当該規制部の外端面の直下にテープの周回空間を形成する連結部を備えていることを特徴とするワイヤーハーネス用電線保持具。
【請求項４】
製作対象となるワイヤーハーネスの原寸図が貼着された組立図板と、
上記原寸図の布線経路に沿って立設されたワイヤーハーネス用電線保持具と
を備え、上記ワイヤーハーネス用電線保持具は、上記布線経路の両側に配置されて対をなし、当該電線束の分岐部分を規制する一対の規制部と、各規制部を組立図板に取り付ける取付部と、取付部と規制部との間に、規制部に導入された電線束に巻回されるテープの周回空間を当該規制部の間と連続して形成する空間形成部とを一体的に備え、
電線保持具の規制部は、当該規制部の外端面の直下にテープの周回空間を形成する連結部を有し、且つ上記規制部の外端面が、当該原寸図の分岐基準点の真上で電線束を分岐させる位置に固定されていることを特徴とするワイヤーハーネスの組立台。
【発明の詳細な説明】
【技術分野】
【０００１】
本発明はワイヤーハーネス用電線保持具及びワイヤーハーネスの組立台に関する。
【背景技術】
【０００２】
ワイヤーハーネスは、幹線から多数の枝線が樹状に分岐する形態を有している。かかるワイヤーハーネスを製造するに当たり、組立図板と呼称される作業台が使用される。組立図板の上には、電線を布線するための電線保持具が、当該ワイヤーハーネスの布線経路に沿って多数立設されている。上記保持具は、通常、円形断面の棒材をＵ字状に屈曲して構成された電線受け部を有している。ワイヤーハーネスの分岐部分は、電線の布線時に電線保持具によって分岐部分が規定されるとともに、テーピングによって形態が保持される。
【０００３】
ここで、分岐部分のテーピング作業が悪い場合には、ワイヤーハーネスの製造時間が長くなり、生産性が低下する。そのため、分岐部分のテーピング作業を向上させるための提案が多々なされている。これらは、何れも電線保持具の一部を可動にして、テーピング作業の際に必要なテープの周回空間を形成できる構成になっている。
【特許文献１】特開５−２５０９３６
【特許文献２】特開５−３２５６７１
【特許文献３】特開２００２−３０４９２３
【発明の開示】
【発明が解決しようとする課題】
【０００４】
しかしながら、テーピングの度に、電線保持具を操作することは、ワイヤーハーネスの製造手順としては、予備的な作業に過ぎない。しかも、分岐部分は、一つのワイヤーハーネスに対して複数個存在するから、かかる作業をワイヤーハーネスの製品毎に行うことは、作業性が悪く、生産性を向上することができなかった。
【０００５】
本発明は上記不具合に鑑みてなされたものであり、作業性の高いワイヤーハーネス用電線保持具及びワイヤーハーネスの組立台を提供することを課題としている。
【課題を解決するための手段】
【０００６】
上記課題を解決するために、本発明は、分岐部分を含む布線経路が設定された組立図板に立設されて、当該布線経路に沿って組立図板上に布線されるワイヤーハーネスの電線束を受ける電線保持具において、上記布線経路の両側に配置されて対をなし、当該電線束の分岐部分を規制する一対の規制部と、各規制部を組立図板に取り付ける取付部と、取付部と規制部との間に、規制部に導入された電線束に巻回されるテープの周回空間を当該規制部の間と連続して形成する空間形成部とを一体的に備えていることを特徴とするワイヤーハーネス用電線保持具である。
【０００７】
好ましい態様において、上記電線保持具は、上記空間形成部と規制部との間に設けられ、当該規制部から分岐する電線の下面を受ける電線受け部を備えている。
【０００８】
また別の態様において、上記電線保持具の規制部は、当該規制部の外端面の直下にテープの周回空間を形成する連結部を有している。
【０００９】
本発明の別の態様は、製作対象となるワイヤーハーネスの原寸図が貼着された組立図板と、上記原寸図の布線経路に沿って立設されたワイヤーハーネス用電線保持具とを備え、上記ワイヤーハーネス用電線保持具は、上記布線経路の両側に配置されて対をなし、当該電線束の分岐部分を規制する一対の規制部と、各規制部を組立図板に取り付ける取付部と、取付部と規制部との間に、規制部に導入された電線束に巻回されるテープの周回空間を当該規制部の間と連続して形成する空間形成部とを一体的に備え、電線保持具の規制部は、当該規制部の外端面の直下にテープの周回空間を形成する連結部を有し、且つ上記規制部の外端面が、当該原寸図の分岐基準点の真上で電線束を分岐させる位置に固定されていることを特徴とするワイヤーハーネスの組立台である。
【発明の効果】
【００１０】
本発明によれば、一対の規制部間に導入された電線束にテーピングを施すに当たり、当該電線束の回りを周回するテープを各規制部の下方にくぐらせることが可能になる。このため、規制部から分岐した電線束の分岐部分をたすき状にテーピングする際においても、ワイヤーハーネス用電線保持具を変位させることなくそのままの状態でテーピングを達成することができる。
【００１１】
また、電線受け部を設けた場合には、規制部を基準に分岐した電線束の分岐寸法を精緻に位置決めできるので、作業性が向上するばかりでなく、製品の高い寸法精度を維持することができる。
【００１２】
また、連結部を設けた場合には、規制部に規制される電線束の分岐部分の直下にもテープの作業空間を確保することができるので、規制部に位置決めされた分岐部分からテーピングを開始することができる。このため、規制部に位置決めされた分岐部分の寸法精度を可及的に高めることが可能になる。特に、本発明のワイヤーハーネスの組立台によれば、上記分岐部分と分岐基準点とが寸法上、可及的に合致した状態でワイヤーハーネスを製造することができる。
【発明を実施するための最良の形態】
【００１３】
以下、添付図面を参照しながら、本発明の好ましい実施形態について説明する。
【００１４】
図１を参照して、図示のワイヤーハーネス組立台１は、板状の組立図板２と、この組立図板２の上面に貼着された原寸図３と、この原寸図３の布線経路に沿って組立図板２上に立設された複数の電線保持具４、１０とを有している。
【００１５】
組立図板２は、製造対象となるワイヤーハーネスＷＨ（図２（Ａ）、図３参照）を載置するためのものであり、その製造工程や仕様に応じて、複数の機器とともに、図略の架台上に固定され、作業者に向かって、下側が近接するように傾斜している。
【００１６】
原寸図３は、製造対象となるワイヤーハーネスＷＨの経路３ａが原寸で記載されたものであり、上記経路３ａの他、コネクタの仕様図３ｂ、その他、作業に必要な注意事項等が記載されたものである。図１では、ワイヤーハーネスＷＨの分岐部分を取り出し、簡略化して示している。このワイヤーハーネスＷＨの経路３ａに設定される分岐部分の分岐基準点Ｐは、分岐寸法の始点を基準として示すものである。
【００１７】
電線保持具４は、図示された部位において、分岐基準点Ｐから分岐した電線の端末部分を受けるものであり、周知の通り、組立図板２に固定された柱部４ａと、柱部４ａの頂部に固定されたＵ字状の電線受け部４ｂとを一体に有している。
【００１８】
電線保持具１０は、上記分岐部分を受ける分岐用のものである。
【００１９】
図２（Ａ）（Ｂ）に示すように、電線保持具１０は、周知のボルトナット構造により、ナット１１で組立図板２に立設される取付部１２と、この取付部１２に連続する空間形成部１４と、この空間形成部１４に溶接された一対の屈曲棒材１５とを一体に有している。なお以下の説明では、図２（Ａ）を仮に正面とし、紙面の表裏方向を前後方向とする。
【００２０】
取付部１２は、組立図板２からの突出高さが比較的短いロッドで構成され、その上端部は、空間形成部１４の下部中央に溶接されているとともに、下端部には、ナット１１を螺合させるねじが形成されている金属製部材である。図示の例では、図２（Ｂ）及び図３に示すように、組立図板２の原寸図３に記載されたワイヤーハーネスＷＨの経路３ａに沿って、後述する規制部１５ａと分岐基準点Ｐとの位置関係に基づき、取付部１２が位置決めされ、固定されている。
【００２１】
空間形成部１４は、金属製の棒材を正面視長方形のフレーム状に屈曲したものである。空間形成部１４を構成する棒材の棒材の中間部分１４ａは、上記取付部１２の上端部と一体化されている。棒材の自由端１４ｂ、１４ｂは、互いに端面を向かい合わせるように間隔を隔てて、上記中間部分１４ａの真上にて対向している。各自由端１４ｂ、１４ｂの対向間隔Ｌ１は、後述するテーピング作業において、テープＴ（図３参照）を中間部分１４ａとの間で区画される作業空間Ｓ１に図略のテープを周回させるためのものであり、布線される幹線の直径に応じて設定されている。
【００２２】
屈曲棒材１５は、空間形成部１４の各自由端１４ｂ、１４ｂの背面側に溶接された金属製の棒材で具体化されている。図示の例において、各屈曲棒材１５は、布線経路ＰＨに沿って布線される電線束の側部を規制する規制部１５ａと、この規制部１５ａを上記空間形成部１４の各自由端１４ｂに連結する連結部１５ｂとを構成している。規制部１５ａと連結部１５ｂとは、互いに９０°屈曲している。
【００２３】
各規制部１５ａは、それぞれ電線保持具１０の高さ方向に沿って上方に延びている。これら規制部１５ａは、ワイヤーハーネスＷＨ（図２（Ａ）、図３参照）の電線束が布線される布線経路ＰＨの両側に位置して、該電線束の側部を規制するものである。図示の実施形態において、各規制部１５ａの背面（外端面）は、図２（Ｂ）に示すように、側面でみて、原寸図３に記載された分岐基準点Ｐの直下に配置されている。また、取付部１２は、分岐基準点Ｐを通る幹線上に固定されている。従って、原寸図３に基づいて分岐する電線は、図１の中心線で示す分岐経路ＰＨに沿い、分岐基準点Ｐの真上を分岐始点とし、規制部１５ａに規制された状態で、対応する電線保持具４との間に布線される。
【００２４】
連結部１５ｂは、空間形成部１４の各自由端１４ｂ、１４ｂが対向する方向と直交する方向に沿って、空間形成部１４の背面から後方に突出している。図２（Ｂ）から明らかなように、連結部１５ｂの上面は、空間形成部１４の自由端１４ｂ、１４ｂの上面と面一になっている。図示の例では、これら連結部１５ｂの上面並びに自由端１４ｂの上面が分岐した電線を受ける電線受け部を構成している。
【００２５】
次に上述した実施形態の作用について、図１〜図３を参照しながら説明する。
【００２６】
以上説明した構成では、電線を布線経路ＰＨに沿って配置し、電線保持具１０の規制部１５ａ、１５ａ間に導入された電線を下流側の分岐経路に沿わせて電線保持具４の方に布線する。布線された電線の束をテーピングする際には、図１の矢印１（矢印については丸付数字で表す。以下同様。）で示すように、まず、分岐基準点Ｐの真上部分にテープＴ（図３参照）を巻回し、分岐部分を固めた後、矢印２で示すように、テープＴを空間形成部１４に形成された作業空間Ｓ１に通して、分岐部分をたすき状にテーピングする。これにより、作業者は、電線保持具１０を操作することなく、専らテーピング作業を行って電線束を結束することが可能になる。
【００２７】
また、電線束は、分岐部分が分岐基準点Ｐの真上で形成された状態で、たすき掛けされたテープＴにより結束されるので、高い寸法精度で分岐することになる。
【００２８】
特に図示の実施形態では、屈曲棒材１５の連結部１５ｂによって、規制部１５ａが取付部１２や空間形成部１４に対し、寸法Ｌ２（図２（Ｂ）、図３参照）だけオフセットするように構成されているので、図２（Ｂ）に示すように、分岐基準点Ｐの上方にテープＴを周回するための作業空間Ｓ２が形成されている。従って作業者は、電線保持具１０に妨げられることなく、テープＴを分岐基準点Ｐの真上から周回し、分岐部分を結束することができるので、この点からも、テーピングによる寸法精度が高くなる。分岐部分のテーピングが終了した後は、各ワイヤーハーネスＷＨの仕様に基づいて、他の部位のテーピング作業や外装部品の取付作業が行われる。
【００２９】
以上説明したように、本実施形態においては、一対の規制部１５ａ、１５ａ間に導入された電線束にテーピングを施すに当たり、空間形成部１４が区画する作業空間Ｓ１によって、当該電線束の回りを周回するテープＴを各規制部１５ａの下方にくぐらせることが可能になる。このため、規制部１５ａから分岐した電線束の分岐部分をたすき状にテーピングする際においても、電線保持具１０を変位させることなくそのままの状態でテーピングを達成することができる。
【００３０】
また、空間形成部１４の自由端１４ｂや、連結部１５ｂによって具体化された電線受け部を設けているので、規制部１５ａを基準に分岐した電線束の分岐寸法をこれら電線受け部によっても精緻に位置決めでき、作業性が向上するばかりでなく、製品の高い寸法精度を維持することができる。
【００３１】
また、連結部１５ｂを設けているので、分岐基準点Ｐの真上にも作業空間Ｓ２を確保することができ、分岐基準点Ｐに対して位置決めされた分岐部分からテーピングを開始することができる。このため、分岐部分と分岐基準点Ｐとを寸法上、精緻に合致させ、製品の寸法精度を可及的に高めることが可能になる。
【００３２】
上述した実施形態は、本発明の好ましい具体例を例示したものに過ぎず、本発明は上述した実施形態に限定されない。本発明は、特許請求の範囲内で種々の変更が可能であることはいうまでもない。
【図面の簡単な説明】
【００３３】
【図１】本発明の実施形態に係るワイヤーハーネス用電線保持具を用いたワイヤーハーネス組立台の要部を示す斜視図である。
【図２】図１のワイヤーハーネス用電線保持具の外観図であり、（Ａ）は正面図、（Ｂ）は側面図である。
【図３】図１のワイヤーハーネス組立台の組立図板の平面部分略図である。
【符号の説明】
【００３４】
１    ワイヤーハーネス組立台
２    組立図板
３    原寸図
１０  電線保持具
１２  取付部
１４  空間形成部
１５ａ      規制部
１５ｂ      連結部
Ｐ    分岐基準点
ＰＨ  布線経路
Ｓ１  作業空間
Ｓ２  作業空間
ＷＨ  ワイヤーハーネス
【図１】
2005276549.tif 000003
【図２】
2005276549.tif 000004
【図３】
2005276549.tif 000005